(57)【特許請求の範囲】
【請求項１】
送信先アドレスとして第２の端末の識別情報を含むデータを、複数の転送装置を介して第１の端末から該第２の端末に送信する通信システムであって、
前記第１の端末に接続された第１の転送装置は、
前記第１の端末の識別情報と、前記第２の端末の識別情報と、前記第２の端末に接続された第２の転送装置宛てのルーティング情報と、通信識別情報要素とを関連付けて記憶する第１の記憶手段と、
前記第１の端末から受信した前記データに含まれる前記第２の端末の識別情報に関連付けられた前記ルーティング情報を付与して、前記データを前記第２の転送装置宛てに転送するルーティング処理手段とを具備し、
前記ルーティング処理手段は、更に、前記第１の端末から受信した前記データに含まれる前記通信識別情報要素に関連付けられた前記ルーティング情報を付与して、前記データを前記第２の転送装置宛てに転送することを特徴とする通信システム。
【請求項２】
ネットワーク管理装置を具備し、
前記ネットワーク管理装置は、
前記第１の端末の識別情報と、前記第２の端末の識別情報と、前記第２の転送装置宛てのルーティング情報と、前記通信識別情報要素とを関連付けて記憶する第３の記憶手段と、
前記第１の転送装置から送信された前記第１及び第２の端末の識別情報を含む転送要求に応じて、該第１及び第２の端末の識別情報に関連付けられた前記第２の転送装置宛てのルーティング情報及び前記通信識別情報要素を含む指示情報を送信する指示情報送信手段とを具備し、
前記第１の転送装置は、前記第１の端末から前記データの送信要求を受信した場合、前記転送要求を前記ネットワーク管理装置に送信する転送要求送信手段を具備し、
前記第１の記憶手段は、前記ネットワーク管理装置からの前記指示情報に応じて、前記第１及び第２の端末の識別情報と前記第２の転送装置宛てのルーティング情報と前記通信識別情報要素とを関連付けて記憶することを特徴とする請求項１に記載の通信システム。
【請求項３】
送信先アドレスとして第２の端末の識別情報を含むデータを、複数の転送装置を介して第１の端末から前記第２の端末に送信する通信方法であって、
前記第１の端末に接続された第１の転送装置は、前記第１の端末の識別情報と、前記第２の端末の識別情報と、前記第２の端末が接続された第２の転送装置宛てのルーティング情報と、通信識別情報要素とを関連付けて記憶しており、
前記第１の転送装置において、前記データに含まれる前記第２の端末の識別情報に関連付けられた前記第２の転送装置宛てのルーティング情報を付与して、前記データを前記第２の転送装置宛てに転送する工程Ａを有し、
前記工程Ａにおいて、前記第１の転送装置は、前記第１の端末から受信した前記データに含まれる前記通信識別情報要素に関連付けられた前記ルーティング情報を付与して、前記データを前記第２の転送装置宛てに転送することを特徴とする通信方法。
【請求項４】
ネットワーク管理装置は、前記第１の端末の識別情報と、前記第２の端末の識別情報と、前記第２の転送装置宛てのルーティング情報と、前記通信識別情報要素とを関連付けて記憶しており、
前記第１の転送装置において、前記第１の端末から前記データの送信要求を受信した場合、前記第１及び第２の端末の識別情報を含む転送要求をネットワーク管理装置に送信する工程Ｅと、
前記ネットワーク管理装置において、前記第１の転送装置から送信された前記転送要求に応じて、前記第１及び第２の端末の識別情報に関連付けられた前記第２の転送装置宛てのルーティング情報及び前記通信識別情報要素を含む指示情報を送信する工程Ｆと、
前記第１の転送装置において、前記ネットワーク管理装置からの前記指示情報に応じて、前記第１及び第２の端末の識別情報と前記第２の転送装置宛てのルーティング情報と前記通信識別情報要素とを関連付けて記憶する工程Ｇとを有することを特徴とする請求項３に記載の通信方法。
【請求項５】
第１の端末に接続されており、送信先アドレスとして第２の端末の識別情報を含むデータを前記第１の端末から前記第２の端末に送信する第１の転送装置であって、
前記第１の端末の識別情報と、前記第２の端末の識別情報と、前記第２の端末が接続された第２の転送装置宛てのルーティング情報と、通信識別情報要素とを関連付けて記憶する第１の記憶手段と、
前記データに含まれる前記第２の端末の識別情報に関連付けられた前記第２の転送装置宛てのルーティング情報を付与して、該データを該第２の転送装置宛てに転送するルーティング処理手段とを具備し、
前記ルーティング処理手段は、前記第１の端末から受信した前記データに含まれる前記通信識別情報要素に関連付けられた前記ルーティング情報を付与して、前記データを前記第２の転送装置宛てに転送することを特徴とする第１の転送装置。
【請求項６】
前記第１の端末から前記データの送信要求を受信した場合、前記第１及び第２の端末の識別情報を含む転送要求をネットワーク管理装置に送信する転送要求送信手段を具備し、
前記第１の記憶手段は、前記ネットワーク管理装置からの前記指示情報に応じて、前記第１及び第２の端末の識別情報と前記第２の転送装置宛てのルーティング情報と前記通信識別情報要素とを関連付けて記憶することを特徴とする請求項５に記載の第１の転送装置。
【請求項７】
送信先アドレスとして第２の端末の識別情報を含み、送信元アドレスとして第１の端末の識別情報を含むデータを、複数の転送装置を介して第１の端末から該第２の端末に送信する通信システムを管理するネットワーク管理装置であって、
前記第１の端末の識別情報と、前記第２の端末の識別情報と、前記第２の端末が接続された第２の転送装置宛てのルーティング情報と、通信識別情報要素とを関連付けて記憶する第３の記憶手段と、
前記第１の転送装置から送信された前記第１及び第２の端末の識別情報を含む転送要求に応じて、該第１及び第２の端末の識別情報に関連付けられた前記第２の端末が接続された第２の転送装置宛てのルーティング情報及び前記通信識別情報要素を含む指示情報を送信する指示情報送信手段とを具備することを特徴とするネットワーク管理装置。
【発明の詳細な説明】
【０００１】
【発明の属する技術分野】
本発明は、送信先アドレスとして第２の端末の識別情報を含むデータを複数の転送装置を介して第１の端末から該第２の端末に送信する通信システム、通信方法、これらに用いて好適な転送装置及びネットワーク管理装置に関する。
【０００２】
【従来の技術】
従来の通信システムにおいて、通信ネットワーク上を移動する端末は、移動先で新たに接続したアクセスネットワークより付与されたアドレス情報を用いて通信を実現している。ここで、上述の端末には、物理的に接続されたアクセスネットワークに対応したアドレス情報が付与される。
【０００３】
しかしながら、従来の通信システムでは、上述の端末が、上述の付与されたアドレス情報を利用して通信を実施すると、通信相手が、当該アドレス情報から物理的な接続アクセスネットワークを類推することが可能となる。すなわち、かかる場合には、ユーザの位置情報が通信相手に漏洩するという問題点が発生していた。
【０００４】
通信ネットワーク上を移動する端末に対して、同じ設定環境下で、パケット送受信機能を提供することを目的とした技術として、「Ｍｏｂｉｌｅ  ＩＰ」が知られている。
【０００５】
かかる「Ｍｏｂｉｌｅ  ＩＰ」では、位置情報の漏洩を防止するために、上述の端末が、常に、送信先アドレスとして「ホームアドレス」を付与して、通信相手に対してデータを送信している。そのため、通信相手は、常に、当該端末がホームネットワークに在圏するものとして当該端末宛てにデータを送信する。この結果として、通信相手により送信されたデータは、必ず当該端末のホームネットワークに対して転送され、その後、当該ホームネットワークから当該端末が現在接続するネットワークへ転送されることとなる。
【０００６】
【発明が解決しようとする課題】
しかしながら、「Ｍｏｂｉｌｅ  ＩＰ」を用いた従来の通信システムでは、端末が、ホームエージェント（Ｈｏｍｅ  Ａｇｅｎｔ）に対して当該端末への転送情報を設定する等、当該端末において複雑な設定をする必要があるという問題点がある。
【０００７】
また、「Ｍｏｂｉｌｅ  ＩＰ」を用いた従来の通信システムでは、データの転送経路を鑑みた場合、三角経路となる中継点（ホームエージェント）を経由しなければならないという問題点がある。
【０００８】
また、「Ｍｏｂｉｌｅ  ＩＰ」を用いた従来の通信システムでは、端末における高機能な処理を必要とするという問題点がある。例えば、端末は、当該端末が接続するアクセスネットワークにより付与されたアドレス情報と当該端末のホームアドレスの双方を保持し、受信したパケット等に対するカプセル化の解除処理等を実行する必要がある。
【０００９】
また、「Ｍｏｂｉｌｅ  ＩＰ」を用いた従来の通信システムでは、端末とアクセスネットワークのアクセスポイントとの間の無線区間等においても、オーバヘッドとなる情報要素がついた形式で、パケットを送受信する必要があるという問題点がある。
【００１０】
また、「Ｍｏｂｉｌｅ  ＩＰ」を用いた従来の通信システムは、インターネットプロトコルの基本思想である「Ｅｎｄ-ｔｏ-Ｅｎｄのデータ転送」を基本としているため、上述の端末において、宛先情報として、端末識別情報とルーティング情報（すなわち、アクセスネットワークにより付与されたアドレス情報と端末のホームアドレス）の双方を含んだものを設定して、データ転送を行う必要があるという問題点がある。
【００１１】
また、「Ｍｏｂｉｌｅ  ＩＰ」を用いた従来の通信システムでは、パス単位処理やルーティング処理等を実施する際に、冗長な経路情報を含んだ転送方式になってしまうという問題点がある。
【００１２】
また、「Ｍｏｂｉｌｅ  ＩＰ」を用いた従来の通信システムでは、帯域制御を、ＭＰＬＳ等を用いたカプセル化によって実現しているため、アクセスネットワークにより付与されたアドレス情報から、通信相手に当該端末の位置情報を類推される可能性があるという問題点があった。
【００１３】
そこで、本発明は、以上の点に鑑みてなされたもので、アクセスネットワークにより付与された端末の識別情報を用いてデータ転送を行うのではなく、当該端末の識別情報とは別個のルーティング情報を用いてデータ転送を行うことを可能とする通信システム、通信方法、これらに用いて好適な転送装置及びネットワーク管理装置を提供することを目的とする。
【００１４】
【課題を解決するための手段】
本発明に係る通信システム及び通信方法は、送信先アドレスとして第２の端末の識別情報を含むデータを、複数の転送装置を介して第１の端末から該第２の端末に送信する通信システムであって、前記第１の端末に接続された第１の転送装置は、前記第２の端末の識別情報と、該第２の端末が接続された第２の転送装置宛てのルーティング情報とを関連付けて記憶する第１の記憶手段と、前記データに含まれる前記第２の端末の識別情報に関連付けられた前記第２の転送装置宛てのルーティング情報を付与して、該データを該第２の転送装置宛てに転送するルーティング処理手段とを具備することを特徴とするものである。
【００１５】
かかる発明によれば、第１の転送装置の第１の記憶手段が、第２の端末（受信側端末）の識別情報と第２の転送装置宛てのルーティング情報とを関連付けて記憶しており、ルーティング処理手段が、第２の端末の識別情報に関連付けられた第２の転送装置宛てのルーティング情報を付与して、第１の端末からのデータを第２の転送装置に転送するため、三角経路となる中継点（ホームエージェント）を経由しなければならないという問題点を解決することができる。
【００１６】
また、かかる発明によれば、第１の端末（送信側端末）は、送信先アドレスとして第２の端末（受信側端末）の識別情報を含むデータを送信すればよいため、第１の端末において複雑な設定をする必要があるという問題点を解決することができる。また、第１の端末において、アクセスネットワークにより付与されたアドレス情報と当該第１の端末のホームアドレスの双方を保持し、受信したパケット等に対するカプセル化の解除処理等を実行する必要があるという問題点を解決することができる。
【００１７】
また、かかる発明によれば、第１の端末は、第２の転送装置宛てのルーティング情報を送信する必要がないため、第１の端末とアクセスネットワークのアクセスポイント（第１の転送装置）との間の無線区間等においても、オーバヘッドとなる情報要素がついた形式で、パケットを送受信する必要があるという問題点を解決することができる。
【００１８】
また、上述の通信システム及び通信方法において、ネットワーク管理装置を具備し、前記ネットワーク管理装置は、前記第２の端末の識別情報と前記第２の転送装置宛てのルーティング情報とを関連付けて記憶する第２の記憶手段と、前記第１の転送装置から送信された前記第２の端末の識別情報を含む転送要求に応じて、該第２の端末の識別情報に関連付けられた前記第２の転送装置宛てのルーティング情報を含む指示情報を送信する指示情報送信手段とを具備し、前記第１の転送装置は、前記第１の端末から前記データの送信要求を受信した場合、前記転送要求を前記ネットワーク管理装置に送信する転送要求送信手段を具備し、前記第１の記憶手段は、前記ネットワーク管理装置からの前記指示情報に応じて、前記第２の端末の識別情報と前記第２の転送装置宛てのルーティング情報とを関連付けて記憶することが好ましい。
【００１９】
また、上述の通信システム及び通信方法において、前記指示情報送信手段は、前記指示情報を前記第２の転送装置に送信し、前記第１の記憶手段は、前記第２の転送装置を介して受信した前記指示情報に応じて、前記第２の端末の識別情報と前記第２の転送装置宛てのルーティング情報とを関連付けて記憶することが好ましい。
【００２０】
また、上述の通信システム及び通信方法において、前記データの送信要求は、前記第１の端末から前記第２の端末への該データの送信に係る制御情報を含み、前記第１の記憶手段は、前記第２の端末の識別情報と前記第２の転送装置へのルーティング情報と前記制御情報とを関連付けて記憶し、前記ルーティング処理手段は、前記制御情報に基づいて、前記データを前記第２の転送装置宛てに転送することが好ましい。
【００２１】
また、上述の通信システム及び通信方法において、前記第１の記憶手段が、前記第１の端末の識別情報と、前記第２の端末の識別情報と、前記第２の転送装置宛てのルーティング情報と、通信識別情報要素とを関連付けて記憶し、前記ルーティング処理手段が、前記第１の端末から受信した前記データに含まれる前記通信識別情報要素に関連付けられた前記ルーティング情報を付与して、該データを第２の転送装置宛てに転送することが好ましい。
【００２２】
かかる発明によれば、ルーティング処理手段が、第１の端末から受信したデータに含まれる通信識別情報要素に関連付けられたルーティング情報を付与して、該データを第２の転送装置宛てに転送するため、通信システム内を転送されるデータ内に、第１の端末の識別情報及び第２の端末の識別情報が含まれず、通信の秘密性をより向上させることが可能となる。
【００２３】
また、上述の通信システム及び通信方法において、ネットワーク管理装置を具備し、前記ネットワーク管理装置が、前記第１の端末の識別情報と、前記第２の端末の識別情報と、前記第２の転送装置宛てのルーティング情報と、前記通信識別情報要素とを関連付けて記憶する第３の記憶手段と、前記第１の転送装置から送信された前記第１及び第２の端末の識別情報を含む転送要求に応じて、該第１及び第２の端末の識別情報に関連付けられた前記第２の転送装置宛てのルーティング情報及び前記通信識別情報要素を含む指示情報を送信する指示情報送信手段とを具備し、前記第１の転送装置が、前記第１の端末から前記データの送信要求を受信した場合、前記転送要求を前記ネットワーク管理装置に送信する転送要求送信手段を具備し、前記第１の記憶手段が、前記ネットワーク管理装置からの前記指示情報に応じて、前記第１及び第２の端末の識別情報と前記第２の転送装置宛てのルーティング情報と前記通信識別情報要素とを関連付けて記憶することが好ましい。
【００２４】
【発明の実施の形態】
（本発明の実施形態１に係る通信システムの構成）
本発明の実施形態１に係る通信システムの構成について、図１乃至図３を参照しながら説明する。図１に、本実施形態に係る通信システムの全体構成を示す。
【００２５】
本実施形態に係る通信システムは、図１に示すように、送信先アドレスとして第２の端末５１の識別情報（以下、ＩＤ-端末５１）を含み、送信元アドレスとして第１の端末５２の識別情報（以下、ＩＤ-端末５２）を含むデータを、複数の転送装置３０１、３０３、２０３、２０１を介して、第１の端末５２から第２の端末５１に送信する通信システムである。
【００２６】
第１の端末５１及び第２の端末５２は、ネットワーク１を構成するサブネットワーク（アクセスネットワーク）２、３上を移動することが可能な端末であって、サブネットワーク２、３上の転送装置（アクセスポイント）３０１、２０１等に、無線方式又は有線方式で接続する端末である。本実施形態では、第１の端末５１及び第２の端末５２が、無線方式で、サブネットワーク２、３上の転送装置（アクセスポイント）３０１、２０１等に接続する場合について説明する。
【００２７】
ここで、「ＩＤ-端末５１」及び「ＩＤ-端末５２」は、第１の端末５２及び第２の端末５１にそれぞれ割り当てられたＩＰアドレス等の任意のアドレス情報とすることができる。
【００２８】
本実施形態に係る通信システムは、図１に示すように、ネットワーク管理装置１０と、複数の転送装置２０１乃至２０３、３０１乃至３０３とを具備している。
【００２９】
ネットワーク管理装置１０は、本実施形態に係る通信システム（ネットワーク１）を管理するものである。具体的には、ネットワーク管理装置１０は、図２に示すように、転送要求受信部１１と、端末ＩＤ-位置情報関連付け部１２と、位置情報-転送装置ＩＤ関連付け部１３と、ルーティング情報設定指示部１４とを具備している。
【００３０】
転送要求受信部１１は、ルーティング情報設定指示部１４に接続されており、第１の端末５２が接続された第１の転送装置３０１から送信された「第２の端末の識別情報（宛先端末ＩＤ、ＩＤ-端末５１）」を含む転送要求を受信して、受信した転送要求をルーティング情報設定指示部１４に送信するものである。ここで、転送要求は、通信帯域等を制御するための制御情報（例えば、６４Ｋｂｐｓ）を含んでいてもよい。
【００３１】
端末ＩＤ-位置情報関連付け部１２は、ルーティング情報設定指示部１４に接続されており、ネットワーク１に存在する「端末の識別情報（端末ＩＤ）」と当該端末の「位置情報」とを関連付けて記憶するものである。
【００３２】
位置情報-転送装置ＩＤ関連付け部１３は、ルーティング情報設定指示部１４に接続されており、「転送装置の識別情報（転送装置ＩＤ）」と当該転送装置に接続可能な端末の「位置情報」とを関連付けて記憶するものである。
【００３３】
一方、第１の端末５１及び第２の端末５２が、有線方式で、サブネットワーク２、３上の転送装置（アクセスポイント）３０１、２０１等に接続する場合、端末ＩＤ-位置情報関連付け部１２及び位置情報-転送装置ＩＤ関連付け部１３を、一体化させて「端末の識別情報（端末ＩＤ）」と当該端末が接続された「転送装置の識別情報（転送装置ＩＤ）」とを関連付けてもよい。
【００３４】
ルーティング情報設定指示部１４は、転送要求受信部１１と端末ＩＤ-位置情報関連付け部１２と位置情報-転送装置ＩＤ関連付け部１３とに接続されており、転送要求受信部１１から送信された転送要求に応じて、「第２の端末の識別情報（ＩＤ-端末５１）」に関連付けられた「第２の転送装置２０１宛てのルーティング情報（ＲＡ-２０１）」を含む「ルーティング情報設定指示（指示情報）」を送信する指示情報送信手段である。
【００３５】
ここで、「ルーティング情報設定指示（指示情報）」は、上述の転送要求に含まれる制御情報を含んでいてもよい。
【００３６】
具体的には、ルーティング情報設定指示部１４は、上述の転送要求に含まれる「第２の端末の識別情報（ＩＤ-端末５１）」をキーワードとして、端末ＩＤ-位置情報関連付け部１２及び位置情報-転送装置ＩＤ関連付け部１３を検索することによって、当該「第２の端末の識別情報（ＩＤ-端末５１）」に関連付けられた「第２の転送装置２０１の識別情報（転送装置ＩＤ）」を入手し、複数の転送装置２０３、３０１、３０３の各々に対して、「第２の転送装置２０１宛てのルーティング情報（ＲＡ-２０１）」を含む「ルーティング情報設定指示（指示情報）」を送信する。
【００３７】
また、ルーティング情報設定指示部１４は、上述の「ルーティング情報設定指示（指示情報）」を、ネットワーク１に存在する全ての転送装置に送信してもよい。
【００３８】
本実施形態において、端末ＩＤ-位置情報関連付け部１２と位置情報-転送装置ＩＤ関連付け部１３とルーティング情報設定指示部１４とが、「第２の端末の識別情報（ＩＤ-端末５１）」と「第２の転送装置宛てのルーティング情報（転送装置３０１の場合、ＲＡ-３０３）」とを関連付けて記憶する第２の記憶手段を構成する。
【００３９】
また、上述の第２の記憶手段の記憶内容は、ネットワーク管理者が設定するものであってもよいし、上述の転送要求に応じてネットワーク管理装置１０が特定エリアの転送装置から動的に取得するものであってもよい。
【００４０】
複数の転送装置２０、３０は、送信先アドレスとして「第２の端末の識別情報（ＩＤ-端末５１）」を含み、送信元アドレスとして「第１の端末の識別情報（ＩＤ-端末５２）」を含むデータを、第１の端末５２から第２の端末５１に送信する転送装置である。
【００４１】
具体的には、各転送装置２０、３０は、図３に示すように、受信部２１と、転送要求送信部２２と、ルーティング情報設定指示受信部２３と、端末ＩＤ-ルーティング情報-制御情報関連付け部２４と、ルーティング処理部２５と、送信部２６とを具備している。以下、第１の端末３０１が接続された第１の転送装置３０１の場合について説明する。
【００４２】
受信部２１は、転送要求送信部２２と端末ＩＤ-ルーティング情報-制御情報関連付け部２４とルーティング処理部２５とに接続されており、第１の端末５２から送信されたデータを受信して、受信したデータをルーティング処理部２５に転送するものである。
【００４３】
また、受信部２１は、第１の端末５２から、ユーザ要求を含むデータ又はユーザ要求を受信した場合、当該ユーザ要求に応じて、端末ＩＤ-ルーティング情報-制御情報関連付け部２４内で、当該データ（又はユーザ要求）に含まれる第２の識別情報を含むレコードを検索する。
【００４４】
端末ＩＤ-ルーティング情報-制御情報関連付け部２４が、当該レコードを含む場合、受信部２１は、当該データをルーティング処理部２５に転送する。
【００４５】
一方、端末ＩＤ-ルーティング情報-制御情報関連付け部２４が、当該レコードを含まない場合、受信部２１は、該ユーザ要求を転送要求送信部２２に転送する。
【００４６】
ここで、ユーザ要求は、第１の端末５２から第２の端末５１宛てのデータの送信要求であり、通信帯域等を制御するための制御情報（例えば、６４Ｋｂｐｓ）を含むものである。第１の端末５２は、第２の端末５２との間の通信条件を変更したい場合に、ユーザ要求を含むデータ又はユーザ要求を送信する。
【００４７】
転送要求送信部２２は、受信部２１に接続されており、受信部２１から送信された「データの送信要求（ユーザ要求）」に応じて、「第２の端末の識別情報（ＩＤ-端末５１）」及び「制御情報（例えば、６４Ｋｂｐｓ）」を含む転送要求を、ネットワーク管理装置１０に送信する転送要求送信手段である。
【００４８】
ルーティング情報設定指示受信部２３は、端末ＩＤ-ルーティング情報-制御情報関連付け部２４に接続されており、ネットワーク管理装置１０から送信された「ルーティング情報設定指示（指示情報）」を受信して、受信した「ルーティング情報設定指示（指示情報）」に応じて、端末ＩＤ-ルーティング情報-制御情報関連付け部２４の記憶内容を更新するものである。
【００４９】
端末ＩＤ-ルーティング情報-制御情報関連付け部２４は、ルーティング情報設定指示受信部２３とルーティング処理部２５とに接続されており、「宛先端末の識別情報（宛先端末ＩＤ）」と、当該宛先端末が接続された転送装置宛ての「ルーティング情報」と、受信したデータの転送先と、当該転送装置宛てのデータの送信に係る「制御情報」とを関連付けて記憶する第１の記憶手段である。
【００５０】
端末ＩＤ-ルーティング情報-制御情報関連付け部２４の記憶内容の一例を、図６に示す。図６の例では、端末ＩＤ-ルーティング情報-制御情報関連付け部２４内に、「宛先端末ＩＤ＝ＩＤ-端末５１（第２の端末の識別情報）」と「ルーティング情報＝ＲＡ-２０１（第２の転送装置２０１の識別情報）」と「転送先＝ＲＡ-３０３（転送装置３０３の識別情報）」と「制御情報＝６４Ｋｂｐｓ」とからなる第１レコード、及び、「宛先端末ＩＤ＝ＩＤ-端末５２（第１の端末の識別情報）」と「ルーティング情報＝ＲＡ-３０１（第１の転送装置３０１の識別情報）」と「転送先＝Ｗｉｒｅｌｅｓｓ（無線接続）」と「制御情報＝無し」とからなる第２レコードが記憶されている。第２レコードは、第１の転送装置３０１に、第１の端末５２が無線方式で接続されていることを示す。
【００５１】
ルーティング処理部２５は、受信部２１と端末ＩＤ-ルーティング情報-制御情報関連付け部２４と送信部２６とに接続されており、第１の端末５２から受信部２１を介して送信されたデータに含まれる「第２の端末の識別情報（ＩＤ-端末５１）」に関連付けられた「第２の転送装置宛てのルーティング情報（ＲＡ-３０３）」を付与して、当該「第２の端末の識別情報（ＩＤ-端末５１）」に関連付けられた「制御情報（例えば、通信速度６４Ｋｂｐｓ）」に基づいて、当該データを（送信部２６を介して）第２の転送装置２０１宛てに転送するルーティング処理手段である。
【００５２】
送信部２６は、ルーティング処理部２５に接続されており、ルーティング処理部２５から送信されたデータを、第２の転送装置２０１宛てに転送する、すなわち、図１においては、転送装置３０３に転送するものである。
【００５３】
（本発明の実施形態１に係る通信システムの動作）
本実施形態に係る通信システムの動作を、図４乃至６を参照にして説明する。
図４は、本実施形態に係る通信システムの動作を示すフローチャート図である。
【００５４】
図４に示すように、ステップ４０１において、第１の端末５２が、送信先アドレス「第２の端末の識別情報（宛先端末ＩＤ、ＩＤ-端末５１）」と、送信元アドレス「第１の端末の識別情報（送信元端末ＩＤ、ＩＤ-端末５２）」と、ユーザ要求（例えば、通信速度＝６４Ｋｂｐｓ）と、ユーザデータとを含むデータを、第１の転送装置３０１に送信する。ここで送信されるデータのフォーマットを、図５（ａ）に示す。
【００５５】
ステップ４０２において、第１の転送装置３０１の受信部２１が、上述のユーザ要求を含むデータに応じて、端末ＩＤ-ルーティング情報-制御情報関連付け部２４内で「宛先端末ＩＤ」として「第２の端末の識別情報（ＩＤ-端末５１）」を含むレコードを検索する。
【００５６】
端末ＩＤ-ルーティング情報-制御情報関連付け部２４が、当該レコードを含む場合、ステップ４０５において、「第２の端末の識別情報（ＩＤ-端末５１）」に関連付けられた「ルーティング情報（ＲＡ-２０１）」を付与して、「第２の端末の識別情報（ＩＤ-端末５１）」に関連付けられた「ユーザ要求（すなわち、制御情報）」に基づいて、当該データを転送する（図５（ｂ）参照）。
【００５７】
一方、端末ＩＤ-ルーティング情報-制御情報関連付け部２４が、当該レコードを含まない場合、「第２の端末の識別情報（ＩＤ-端末５１）」及び「制御情報（通信速度＝６４Ｋｂｐｓ）」を含む「転送要求」をネットワーク管理装置１０に送信する。
【００５８】
ステップ４０３において、ネットワーク管理装置１０のルーティング情報設定指示部１４が、転送要求受信部１１を介して受信した転送要求に応じて、上述の転送要求に含まれる「第２の端末の識別情報（ＩＤ-端末５１）」をキーワードとして、端末ＩＤ-位置情報関連付け部１２及び位置情報-転送装置ＩＤ関連付け部１３を検索する。
【００５９】
そして、ルーティング情報設定指示部１４は、当該「第２の端末の識別情報（ＩＤ-端末５１）」に関連付けられた「第２の転送装置２０１の識別情報（転送装置ＩＤ）」を入手し、複数の転送装置２０、３０に対して、「第２の転送装置２０１宛てのルーティング情報（ＲＡ-２０１）」及び「制御情報（通信速度＝６４Ｋｂｐｓ）」を含む「ルーティング情報設定指示（指示情報）」を送信する。
【００６０】
ステップ４０４において、複数の転送装置２０、３０の各々のルーティング情報設定指示受信部２３が、ネットワーク管理装置１０から受信した「ルーティング情報設定指示（指示情報）」に応じて、端末ＩＤ-ルーティング情報-制御情報関連付け部２４の記憶内容を更新する。例えば、第１の転送装置３０１のルーティング情報設定指示受信部２３は、上述の「ルーティング情報設定指示（指示情報）」に応じて、端末ＩＤ-ルーティング情報-制御情報関連付け部２４を、図６に示すように更新する。
【００６１】
ステップ４０５において、第１の転送装置３０１のルーティング処理部２５が、第１の端末５２から受信部２１を介して送信されたデータに含まれる「第２の端末の識別情報（ＩＤ-端末５１）」に関連付けられた「第２の転送装置宛てのルーティング情報（ＲＡ-２０１）」を付与して、当該「第２の端末の識別情報（ＩＤ-端末５１）」に関連付けられた「制御情報（通信速度＝６４Ｋｂｐｓ）」に基づいて、当該データを送信部２６を介して転送装置３０３に転送する。
【００６２】
ここで転送されるデータは、図５（ｂ）に示すように、「第２の転送装置２０１宛てのルーティング情報（ＲＡ-２０１）」と、送信先アドレス「第２の端末の識別情報（宛先端末ＩＤ、ＩＤ-端末５１）」と、送信元アドレス「第１の端末の識別情報（送信元端末ＩＤ、ＩＤ-端末５２）」と、「ユーザデータ」とを含む。
【００６３】
ステップ４０６において、転送装置３０３は、第１の転送装置３０１から受信したデータを、サブネットワーク２に接続された転送装置２０３に転送する。ここで転送されるデータは、「第２の転送装置２０１宛てのルーティング情報（ＲＡ-２０１）」と、送信先アドレス「第２の端末の識別情報（宛先端末ＩＤ、ＩＤ-端末５１）」と、送信元アドレス「第１の端末の識別情報（送信元端末ＩＤ、ＩＤ-端末５２）」と、「ユーザデータ」とを含む。また、当該データは、「制御情報（通信速度＝６４Ｋｂｐｓ）」に基づいて、通信速度６４Ｋｂｐｓで転送される。
【００６４】
ステップ４０７において、転送装置２０３は、転送装置３０３から受信したデータを、第２の転送装置２０１に転送する。ここで転送されるデータは、「第２の転送装置２０１宛てのルーティング情報（ＲＡ-２０１）」と、送信先アドレス「第２の端末の識別情報（宛先端末ＩＤ、ＩＤ-端末５１）」と、送信元アドレス「第１の端末の識別情報（送信元端末ＩＤ、ＩＤ-端末５２）」と、「ユーザデータ」とを含む。また、当該データは、「制御情報（通信速度＝６４Ｋｂｐｓ）」に基づいて、通信速度６４Ｋｂｐｓで転送される。
【００６５】
ステップ４０８において、第２の転送装置２０１は、転送装置２０３から受信したデータから「第２の転送装置２０１宛てのルーティング情報（ＲＡ-２０１）」を削除して、第２の端末５１に送信する。
【００６６】
ステップ４０９において、第２の端末５１が、送信先アドレス「第１の端末の識別情報（宛先端末ＩＤ、ＩＤ-端末５２）」と、送信元アドレス「第２の端末の識別情報（送信元端末ＩＤ、ＩＤ-端末５１）」と、「ユーザ要求（通信速度＝６４Ｋｂｐｓ）」と、「ユーザデータ」とを含むデータを、第２の転送装置２０１に送信する。
【００６７】
ステップ４１０において、第２の転送装置２０１の受信部２１が、上述のユーザ要求を含むデータに応じて、端末ＩＤ-ルーティング情報-制御情報関連付け部２４内で「宛先端末ＩＤ」として「第１の端末の識別情報（宛先端末ＩＤ、ＩＤ-端末５２）」を含むレコードを検索する。
【００６８】
端末ＩＤ-ルーティング情報-制御情報関連付け部２４が、当該レコードを含む場合、ステップ４１０において、第２の転送装置２０１のルーティング処理部２５が、当該「第１の端末の識別情報（ＩＤ-端末５２）」に関連付けられた「第１の転送装置宛てのルーティング情報（ＲＡ-３０１）」を付与して、「ユーザ要求（すなわち、制御情報）」に基づいて、当該データを送信部２６を介して転送装置２０３に転送する。
【００６９】
ここで転送されるデータは、「第１の転送装置２０１宛てのルーティング情報（ＲＡ-３０１）」と、送信先アドレス「第１の端末の識別情報（宛先端末ＩＤ、ＩＤ-端末５２）」と、送信元アドレス「第２の端末の識別情報（送信元端末ＩＤ、ＩＤ-端末５１）」と、「ユーザデータ」とを含む。
【００７０】
ステップ４１１において、転送装置２０３は、第２の転送装置２０１から受信したデータを、サブネットワーク３に接続された転送装置３０３に転送する。ここで転送されるデータは、「第１の転送装置２０１宛てのルーティング情報（ＲＡ-３０１）」と、送信先アドレス「第１の端末の識別情報（宛先端末ＩＤ、ＩＤ-端末５２）」と、送信元アドレス「第２の端末の識別情報（送信元端末ＩＤ、ＩＤ-端末５１）」と、「ユーザデータ」とを含む。また、当該データは、「制御情報（通信速度＝６４Ｋｂｐｓ）」に基づいて、通信速度６４Ｋｂｐｓで転送される。
【００７１】
ステップ４１２において、転送装置３０３は、転送装置２０３から受信したデータを、第１の転送装置３０１に転送する。ここで転送されるデータは、「第１の転送装置２０１宛てのルーティング情報（ＲＡ-３０１）」と、送信先アドレス「第１の端末の識別情報（宛先端末ＩＤ、ＩＤ-端末５２）」と、送信元アドレス「第２の端末の識別情報（送信元端末ＩＤ、ＩＤ-端末５１）」と、「ユーザデータ」とを含む。また、当該データは、「制御情報（通信速度＝６４Ｋｂｐｓ）」に基づいて、通信速度６４Ｋｂｐｓで転送される。
【００７２】
ステップ４１３において、第１の転送装置３０１は、転送装置３０３から受信したデータから「第１の転送装置３０１宛てのルーティング情報（ＲＡ-３０１）」を削除して、第１の端末５２に送信する。
【００７３】
（実施形態１に係る通信システムの作用・効果）
本実施形態に係る通信システムによれば、第１の転送装置３０１の端末ＩＤ-ルーティング情報-制御情報関連付け部２４が、「第２の端末（受信側端末）５１の識別情報（ＩＤ-端末５１）」と「第２の転送装置２０１宛てのルーティング情報（ＲＡ-２０１）」とを関連付けて記憶しており、ルーティング処理部２５が、「第２の端末の識別情報（ＩＤ-端末５１）」に関連付けられた「第２の転送装置２０１宛てのルーティング情報（ＲＡ-３０３）」を付与して、第１の端末５２からのデータを第２の転送装置５１に転送するため、三角経路となる中継点（ホームエージェント）を経由しなければならないという問題点を解決することができる。
【００７４】
また、本実施形態に係る通信システムによれば、第１の端末（送信側端末）５２は、送信先アドレスとして「第２の端末（受信側端末）の識別情報（ＩＤ-端末５１）」を含むデータを送信すればよいため、第１の端末５２において複雑な設定をする必要があるという問題点を解決することができる。また、第１の端末５２において、アクセスネットワーク（サブネットワーク３）により付与されたアドレス情報と当該第１の端末５２のホームアドレスの双方を保持し、受信したパケット等に対するカプセル化の解除処理等を実行する必要があるという問題点を解決することができる。
【００７５】
また、本実施形態に係る通信システムによれば、第１の端末５２は、「第２の転送装置宛てのルーティング情報（ＲＡ-２０１）」を送信する必要がないため、第１の端末５２とアクセスネットワークのアクセスポイント（第１の転送装置３０１）との間の無線区間等においても、オーバヘッドとなる情報要素がついた形式で、パケットを送受信する必要があるという問題点を解決することができる。
【００７６】
（本発明の実施形態２に係る通信システムの構成）
本発明の実施形態２に係る通信システムの構成について、上述の実施形態１に係る通信システムと異なる部分を中心に説明する。本発明の実施形態２に係る通信システムの全体構成は、上述の実施形態１に係る通信システムのものと同一である。
【００７７】
ネットワーク管理装置１０は、上述の実施形態１における端末ＩＤ-位置情報関連付け部１２及び位置情報-転送装置ＩＤ関連付け部１３の代わりに、「第１の端末の識別情報（送信元端末ＩＤ）」と「第２の端末の識別情報（宛先端末ＩＤ）」と「第２の転送装置宛てのルーティング情報」と「通信識別情報要素」と「制御情報」とを関連付けて記憶する第３の記憶手段を具備する。
【００７８】
また、ネットワーク管理装置１０のルーティング情報設定指示部１４は、第１の転送装置５２から送信された「第１及び第２の端末の識別情報」を含む転送要求に応じて、当該「第１及び第２の端末の識別情報」に関連付けられた「第２の転送装置宛てのルーティング情報」と「通信識別情報要素」とを含む「ルーティング情報設定指示（指示情報）」を送信する指示情報送信手段を構成する。
【００７９】
第１の転送装置３０１の受信部２２は、送信先アドレス「第２の端末の識別情報」と、送信元アドレス「第１の端末の識別情報」と、「ユーザ要求すなわち制御情報（通信速度＝６４Ｋｂｐｓ）」とを含む「データの送信要求」を受信した場合、受信した「データの送信要求」に含まれる「第１の端末の識別情報（第１の端末ＩＤ）」及び「第２の端末の識別情報（第２の端末ＩＤ）」を含むレコードを、端末ＩＤ-ルーティング情報-制御情報関連付け部２４内で検索する。
【００８０】
端末ＩＤ-ルーティング情報-制御情報関連付け部２４が、当該レコードを含む場合、受信部２１は、「通信識別情報要素」を含む「送信設定応答」を、第１の端末５２に送信する。
【００８１】
一方、端末ＩＤ-ルーティング情報-制御情報関連付け部２４が、当該レコードを含まない場合、受信部２１は、当該「データの送信要求」を転送要求送信部２２に転送する。
【００８２】
また、受信部２１は、「通信識別情報要素」を含むデータを受信した場合、受信したデータを、ルーティング処理部２５に転送する。
【００８３】
転送要求送信部２２は、受信部２１から受信した「データの送信要求」に応じて、「第１の端末の識別情報」と「第２の端末の識別情報」と「制御情報」とを含む「転送要求」を、ネットワーク請求装置１０に送信する転送要求送信手段である。
【００８４】
本実施形態において、受信部２１及び転送要求送信部２２が、第１の端末５２から「データの送信要求」を受信した場合に、「転送要求」をネットワーク管理装置１０に送信する転送要求送信手段を構成する。
【００８５】
ルーティング情報設定指示受信部２３は、ネットワーク管理装置１０から受信した「ルーティング情報設定指示（指示情報）」に応じて、端末ＩＤ-ルーティング情報-制御情報関連付け部２４の記憶内容を更新するものである。
【００８６】
端末ＩＤ-ルーティング情報-制御情報関連付け部２４は、「第１の端末の識別情報（送信元端末ＩＤ）」と「第２の端末の識別情報（宛先端末ＩＤ）」と「ルーティング情報」と「通信識別情報要素」と「転送先」と「制御情報」とを関連付けて記憶する第１の記憶手段を構成する。
【００８７】
端末ＩＤ-ルーティング情報-制御情報関連付け部２４の記憶内容の一例を、図９に示す。図９の例では、端末ＩＤ-ルーティング情報-制御情報関連付け部２４内に、「通信識別情報要素＝７１」と「送信元端末の識別情報＝ＩＤ-端末５２」と「宛先端末の識別情報＝ＩＤ-端末５１」と「ルーティング情報＝ＲＡ-２０１（第２の転送装置２０１のＩＤ）」と「転送先＝ＲＡ-３０３」と「制御情報＝６４Ｋｂｐｓ」とからなる第１のレコード、及び、「通信識別情報要素＝７２」と「送信元端末の識別情報＝ＩＤ-端末５１」と「宛先端末の識別情報＝ＩＤ-端末５２」と「ルーティング情報＝ＲＡ-３０１（第１の転送装置２０１のＩＤ）」と「転送先＝Ｗｉｒｅｌｅｓｓ」と「制御情報＝無し」とからなる第２のレコードが記憶されている。
【００８８】
ルーティング処理部２５は、受信部２１から受信したデータに含まれる「通信識別情報要素」に関連付けられた「ルーティング情報」を付与して、「制御情報」に基づいて、当該データを、当該第２の転送装置２０１宛てに転送するルーティング処理手段である。
【００８９】
（本発明の実施形態２に係る通信システムの動作）
本実施形態に係る通信システムの動作を、図７乃至９を参照にして説明する。
図７は、本実施形態に係る通信システムの動作を示すフローチャート図である。
【００９０】
図７に示すように、ステップ７０１において、第１の端末５１が、送信先アドレス「第２の識別情報（宛先端末ＩＤ、ＩＤ-端末５１）」と、送信元アドレス「第１の識別情報（送信元端末ＩＤ、ＩＤ-端末５２）」と、ユーザ要求（例えば、通信速度＝６４Ｋｂｐｓ）とを含む「データの送信要求」を、第１の転送装置３０１に送信する。ここで送信されるデータのフォーマットを、図８（ａ）に示す。
【００９１】
ステップ７０２において、第１の転送装置３０１の受信部２１が、上述の「データの送信要求」に応じて、端末ＩＤ-ルーティング情報-制御情報関連付け部２４内で「第２の端末の識別情報（宛先端末ＩＤ、ＩＤ-端末５１）」及び「第１の端末の識別情報（送信元端末ＩＤ、ＩＤ-端末５２）」を含むレコードを検索する。
【００９２】
端末ＩＤ-ルーティング情報-制御情報関連付け部２４が、当該レコードを含む場合、第１の転送装置３０１の受信部２１が、上述の「データの送信要求」に応じて、当該「第２の端末の識別情報（宛先端末ＩＤ、ＩＤ-端末５１）」及び「第１の端末の識別情報（送信元端末ＩＤ、ＩＤ-端末５２）」に関連付けられた「通信識別情報要素」を含む「送信設定応答」を第１の端末５２に送信する（ステップ７０５）。
【００９３】
一方、端末ＩＤ-ルーティング情報-制御情報関連付け部２４が、当該レコードを含まない場合、ステップ７０２において、第１の転送装置３０１の転送要求送信部２２が、当該「第２の端末の識別情報（ＩＤ-端末５１）」と「第１の端末の識別情報（送信元端末ＩＤ、ＩＤ-端末５２）」と「制御情報（通信速度＝６４Ｋｂｐｓ）」とを含む「転送要求」をネットワーク管理装置１０に送信する。
【００９４】
ステップ７０３において、ネットワーク管理装置１０のルーティング情報設定指示部１４が、転送要求受信部１１を介して受信した転送要求に応じて、上述の転送要求に含まれる「第２の端末の識別情報（ＩＤ-端末５１）」及び「第１の端末の識別情報（ＩＤ-端末５２）」をキーワードとして、第３の記憶手段を検索する。
【００９５】
そして、ルーティング情報設定指示部１４は、当該「第２の端末の識別情報（ＩＤ-端末５１）」及び「第１の識別情報（ＩＤ-端末５２）」に関連付けられた「通信識別情報要素」と「ルーティング情報」と「制御情報」とを入手し、複数の転送装置２０、３０に対して、「通信識別情報要素（７１）」と「ルーティング情報」と「制御情報」とを含む「ルーティング情報設定指示（指示情報）」を送信する。
【００９６】
ステップ７０４において、複数の転送装置２０、３０の各々のルーティング情報設定指示受信部２３が、ネットワーク管理装置１０から受信した「ルーティング情報設定指示（指示情報）」に応じて、端末ＩＤ-ルーティング情報-制御情報関連付け部２４の記憶内容を更新する。例えば、第１の転送装置３０１のルーティング情報設定指示受信部２３は、上述の「ルーティング情報設定指示（指示情報）」に応じて、端末ＩＤ-ルーティング情報-制御情報関連付け部２４を、図９に示すように更新する。
【００９７】
ステップ７０５において、第１の転送装置３０１の受信部２１が、当該「第２の端末の識別情報（宛先端末ＩＤ、ＩＤ-端末５１）」及び「第１の端末の識別情報（送信元端末ＩＤ、ＩＤ-端末５２）」に関連付けられた「通信識別情報要素（７１）」を含む「送信設定応答」を第１の端末５２に送信する。
【００９８】
ステップ７０６において、第１の端末５２が、「通信識別情報要素（７１）」を含むデータを送信する。ここで送信されるデータは、図８（ｂ）に示すように、「通信識別情報要素（７１）」と「ユーザデータ」とを含む。
【００９９】
ステップ７０７において、第１の転送装置３０１のルーティング処理部２５が、第１の端末５２から受信部２１を介して送信されたデータに含まれる「通信識別情報要素（７１）」に関連付けられた「第２の転送装置宛てのルーティング情報（ＲＡ-２０１）」を付与して、当該データを送信部２６を介して転送装置３０３に転送する。ここで転送されるデータは、図８（ｃ）に示すように、「ルーティング情報（第２の転送装置２０１のＩＤ）」と「通信識別情報要素（７１）」と「ユーザデータ」とを含む。また、当該データは、「制御情報（通信速度＝６４Ｋｂｐｓ）」に基づいて、通信速度６４Ｋｂｐｓで転送される。
【０１００】
ステップ７０８において、転送装置３０３は、第１の転送装置３０１から受信したデータを、サブネットワーク２に接続された転送装置２０３に転送する。ここで転送されるデータは、図８（ｃ）に示すように、「ルーティング情報（第２の転送装置２０１のＩＤ）」と「通信識別情報要素（７１）」と「ユーザデータ」とを含む。また、当該データは、「制御情報（通信速度＝６４Ｋｂｐｓ）」に基づいて、通信速度６４Ｋｂｐｓで転送される。
【０１０１】
ステップ７０９において、転送装置２０３は、転送装置３０３から受信したデータを、第２の転送装置２０１に転送する。ここで転送されるデータは、図８（ｃ）に示すように、「ルーティング情報（第２の転送装置２０１のＩＤ）」と「通信識別情報要素（７１）」と「ユーザデータ」とを含む。また、当該データは、「制御情報（通信速度＝６４Ｋｂｐｓ）」に基づいて、通信速度６４Ｋｂｐｓで転送される。
【０１０２】
ステップ７１０において、第２の転送装置２０１は、転送装置２０３から受信したデータから「ルーティング情報（第２の転送装置２０１のＩＤ）」を削除して第２の端末５１に送信する。
【０１０３】
ステップ７１２において、第２の端末５１が、「通信識別情報要素（７１）」を含むデータを送信する。ここで送信されるデータは、図８（ｂ）に示すように、「通信識別情報要素（７１）」と「ユーザデータ」とを含む。
【０１０４】
以下、ステップ７１２乃至７１５において、ステップ７０７乃至７１０の場合と同様の動作によって、上述のデータが、第１の端末５１に送信される。
【０１０５】
（実施形態２に係る通信システムの作用・効果）
本実施形態に係る通信システムによれば、ルーティング処理部２５が、第１の端末５２から受信したデータに含まれる通信識別情報要素に関連付けられたルーティング情報を付与して、該データを第２の転送装置２０１宛てに転送するため、通信システム内を転送されるデータ内に、第１の端末の識別情報及び第２の端末の識別情報が含まれず、通信の秘密性をより向上させることが可能となる。
【０１０６】
（本発明の変更例３に係る通信システム）
本発明の実施形態３に係る通信システムについて、上述の実施形態１に係る通信システムと異なる部分を中心に説明する。
【０１０７】
本実施形態に係る通信システムは、ネットワーク管理装置１０のルーティング情報設定指示部１４が、「ルーティング情報設定指示（指示情報）」を、複数の転送装置２０、３０に送信する代わりに第２の転送装置２０１に送信し、第２の転送装置２０１が、「ルーティング情報設定指示（指示情報）」を、複数の転送装置２０、３０に送信する点で、実施形態１に係る通信システムと異なる。
【０１０８】
また、本実施形態に係る通信システムの動作も、図８におけるステップ１００３において、ネットワーク管理装置１０のルーティング情報設定指示部１４が、「ルーティング情報設定指示（指示情報）」を第２の転送装置２０１に送信し、ステップ１００５において、第２の転送装置２０１が、「ルーティング情報設定指示（指示情報）」を複数の転送装置２０、３０に送信する点を除いて、本実施形態に係る通信システムの動作と同様である。
【０１０９】
（変更例）
上述の実施形態にかかる通信システムにおいて、端末ＩＤ-ルーティング情報-制御情報関連付け部２４が、「ルーティング情報」として、第１の端末との無線方式の種類や当該無線方式で使用されるポート番号を記憶してもよい。
【０１１０】
また、上述の実施形態にかかる通信システムにおいて、図５や図８に示したデータのフォーマット以外のものを用いてもよい。
【０１１１】
また、上述の実施形態にかかる通信システムにおいて、「制御情報」として、データの暗号化情報を用いてもよい。
【０１１２】
また、上述の実施形態にかかる通信システムにおいて、「第１の端末の識別情報」又は「第２の端末の識別情報」の少なくとも一方を、ネットワーク１又はサブネットワーク２、３内において、別個独立の識別情報に変更してもよい。
【０１１３】
図１１に、上述の別個独立の識別情報に変更する場合に用いられるデータのフォーマットの一例を示し、図１２に、その際の端末ＩＤ-ルーティング情報-制御情報関連付け部２４の構成の一例を示す。
【０１１４】
ルーティング処理部２５は、第１の端末５２から受信したデータに含まれる「第２の端末の識別情報（宛先端末ＩＤ）」を、対応する「ネットワーク用宛先端末ＩＤ」に変換することによって、当該「第２の端末の識別情報（宛先端末ＩＤ）」に関連付けられた「ルーティング情報（ＮＷＩＤ-端末５１）」を付与する。また、図１１（ｂ）に示すように、ルーティング処理部２５は、第１の端末５２から受信したデータに含まれる「第１の端末の識別情報（送信元端末ＩＤ）」を、対応する「ネットワーク用送信元端末ＩＤ」に変換することもできる。
【０１１５】
また、上述の実施形態にかかる通信システムにおいて、「通信識別情報要素」を、ネットワーク１又はサブネットワーク２、３内において、別個独立の識別情報に変更してもよい。
【０１１６】
また、図６、図９及び図１２における端末ＩＤ-ルーティング情報-制御情報関連付け部２４の記憶内容において、「転送先」と「ルーティング情報」とが一致するような方式をとる場合には、「転送先」を省略してもよい。
【０１１７】
また、ネットワーク管理装置１０が、「通信識別情報要素」に関連付けられた「送信元端末ＩＤ」及び「宛先端末ＩＤ」を管理している場合、図９における端末ＩＤ-ルーティング情報-制御情報関連付け部２４の記憶内容において、「送信元端末ＩＤ」及び「宛先端末ＩＤ」を省略してもよい。例えば、宛先端末ＩＤが含まれない場合には、通信識別情報要素は、ルーティング情報と対応付けられます。
【０１１８】
さらに、上述の実施形態にかかる通信システムにおいて、第１の転送装置３０１で行われていた処理を、別の転送装置２０、３０に行わせることも可能である。
【０１１９】
【発明の効果】
以上説明したように本発明によれば、アクセスネットワークにより付与された端末の識別情報を用いてデータ転送を行うのではなく、当該端末の識別情報とは別個のルーティング情報を用いてデータ転送を行うことを可能とする通信システム、通信方法、これらに用いて好適な転送装置及びネットワーク管理装置を提供することができる。
【図面の簡単な説明】
【図１】本発明の一実施形態に係る通信システムの全体構成図である。
【図２】本発明の一実施形態に係るネットワーク管理装置の機能ブロック図である。
【図３】本発明の一実施形態に係る転送装置の機能ブロック図である。
【図４】本発明の一実施形態に係る通信システムの動作を示すタイムチャート図である。
【図５】本発明の一実施形態に係る通信システムで転送されるデータのフォーマットの一例を示す図である。
【図６】本発明の一実施形態に係る転送装置の端末ＩＤ-ルーティング情報-制御情報関連付け部の構成の一例を示す図である。
【図７】本発明の一実施形態に係る通信システムの動作を示すタイムチャート図である。
【図８】本発明の一実施形態に係る通信システムで転送されるデータのフォーマットの一例を示す図である。
【図９】本発明の一実施形態に係る転送装置の端末ＩＤ-ルーティング情報-制御情報関連付け部の構成の一例を示す図である。
【図１０】本発明の一実施形態に係る通信システムの動作を示すタイムチャート図である。
【図１１】本発明の一変更例に係る通信システムで転送されるデータのフォーマットの一例を示す図である。
【図１２】本発明の一変更例に係る転送装置の端末ＩＤ-ルーティング情報-制御情報関連付け部の構成の一例を示す図である。
【符号の説明】
１…ネットワーク
２、３…サブネットワーク
１０…ネットワーク管理装置
１１…転送要求受信部
１２…端末ＩＤ-位置情報関連付け部
１３…位置情報-転送装置ＩＤ関連付け部
１４…ルーティング情報設定指示部
２０、３０、２０１、２０２、２０３、３０１、３０２、３０３…転送装置
２１…受信部
２２…転送要求送信部
２３…ルーティング情報設定支持受信部
２４…端末ＩＤ-ルーティング情報-制御情報関連付け部
２５…ルーティング処理部
５１、５２…端末
【図１】
0003875121.tif 000002
【図２】
0003875121.tif 000003
【図３】
0003875121.tif 000004
【図４】
0003875121.tif 000005
【図５】
0003875121.tif 000006
【図６】
0003875121.tif 000007
【図７】
0003875121.tif 000008
【図８】
0003875121.tif 000009
【図９】
0003875121.tif 000010
【図１０】
0003875121.tif 000011
【図１１】
0003875121.tif 000012
【図１２】
0003875121.tif 000013